(57)【要約】【課題】本発明は、全体として風向制御ができ且つ異常音を防止し得る換気口用通気窓板及び換気口を提供することを目的とする。【解決手段】通気窓部１が並設された換気口用通気窓板であって、この通気窓板は基板２に通気窓部１が形成されたものであり、通気窓部１の一側にして基板２には排風制御片３が連設されており、この排風制御片３はその幅が部位により異なるように構成されているものである。【選択図】        図４
2004211968.tif 000002
【特許請求の範囲】
【請求項１】
通気窓部が並設された換気口用通気窓板であって、この通気窓板は基板に通気窓部が形成されたものであり、通気窓部の一側にして基板には排風制御片が連設されており、この排風制御片はその幅が部位により異なるように構成されていることを特徴とする換気口用通気窓板。
【請求項２】
請求項１記載の換気口用通気窓板において、通気窓部は複数の長窓を並設したものであることを特徴とする換気口用通気窓板。
【請求項３】
請求項１，２いずれか１項に記載の換気口用通気窓板において、排風制御片は通気窓部を形成した基板にして該通気窓部に隣接する縁を起こして形成されたものであることを特徴とする換気口用通気窓板。
【請求項４】
請求項１〜３いずれか１項に記載の換気口用通気窓板において、排風制御片は該排風制御片の一端部側から他端部側に向かって徐々に幅狭となるように構成されていることを特徴とする換気口用通気窓板。
【請求項５】
壁面に設けた取付孔に配設される筒部と該筒部の屋外側に設けられる換気部とから成る換気口であって、前記換気部は請求項１〜４いずれか１項に記載の通気窓板と該通気窓板に設けられるカバー筒体とで構成されることを特徴とする換気口。
【発明の詳細な説明】
【０００１】
【発明の属する技術分野】
本発明は、換気口用通気窓板及び換気口に関するものである。
【０００２】
【従来の技術及び発明が解決しようとする課題】
一般に換気口は、図５に図示したように、壁面２１に設けた取付孔２２に嵌入される筒部２３と、該筒部２３に連設され、壁外面に露出する換気部２４とで構成されるものであり、この換気部２４には風雨の侵入を防いだり、また、外観を良好にするために通気窓板２５が設けられている。
【０００３】
従来の通気窓板２５は、例えば特許第２９０５９６２号公報に開示されているように（図６参照）、基板２６に等幅の折り曲げ片２９付き桟板部２７を残して孔２８を形成し、この折り曲げ片２９（排風制御片）を起こして通気窓部３０を形成したものである。
【０００４】
ところで、従来の通気窓板２５においては排風の風向を決めるため、折り曲げ片２９を所定角度に折曲していたが、この折り曲げ片２９は換気を行うファンの送風力が強い場合や外気が強風の場合には、風と共振して異常音を発する原因となる。
【０００５】
この共振を可及的になくすためには、折り曲げ片２９を基板２６に対して直角に近い状態に折曲すれば良いが、これでは風向の決定が不能となる。
【０００６】
また、折り曲げ片２９の折り曲げ角度を部分的に異ならせることで風向の決定と異常音の防止を達成することも可能であるが、その制御は極めて厄介である。
【０００７】
そこで、本発明者は、風向の決定は折り曲げ片（排風制御片）の端部において行えば十分であるという知見をもとに、端部以下の部分においては共振を防止すべく幅狭とし、全体として風向制御ができ且つ異常音を防止し得る換気口用通気窓板及び換気口を完成させた。
【０００８】
【課題を解決するための手段】
添付図面を参照して本発明の要旨を説明する。
【０００９】
通気窓部１が並設された換気口用通気窓板であって、この通気窓板は基板２に通気窓部１が形成されたものであり、通気窓部１の一側にして基板２には排風制御片３が連設されており、この排風制御片３はその幅が部位により異なるように構成されていることを特徴とする換気口用通気窓板に係るものである。
【００１０】
また、請求項１記載の換気口用通気窓板において、通気窓部１は複数の長窓を並設したものであることを特徴とする換気口用通気窓板に係るものである。
【００１１】
また、請求項１，２いずれか１項に記載の換気口用通気窓板において、排風制御片３は通気窓部１を形成した基板２にして該通気窓部１に隣接する縁を起こして形成されたものであることを特徴とする換気口用通気窓板に係るものである。
【００１２】
また、請求項１〜３いずれか１項に記載の換気口用通気窓板において、排風制御片３は該排風制御片３の一端部側から他端部側に向かって徐々に幅狭となるように構成されていることを特徴とする換気口用通気窓板に係るものである。
【００１３】
また、壁面８に設けた取付孔９に配設される筒部６と該筒部６の屋外側に設けられる換気部とから成る換気口であって、前記換気部は請求項１〜４いずれか１項に記載の通気窓板と該通気窓板に設けられるカバー筒体４とで構成されることを特徴とする換気口に係るものである。
【００１４】
【発明の作用及び効果】
排風制御片３の幅広部位において、排風の風向決定を行い、また、排風制御片３の幅狭部位においては排風抵抗が減少し、それだけ共振乃至異常音が減少する。
【００１５】
従って、本発明は、風向決定が確実に行えることは勿論、共振も防ぐことができる極めて実用性に秀れた換気口用通気窓板及び換気口となる。
【００１６】
【発明の実施の形態】
図１〜４は本発明の一実施例を図示したものであり、以下に説明する。
【００１７】
本実施例は、通気窓部１が並設された換気口用通気窓板であって、この通気窓板は基板２に通気窓部１が形成されたものであり、通気窓部１の一側にして基板２には排風制御片３が連設されており、この排風制御片３はその幅が部位により異なるように構成されているものである。
【００１８】
具体的には、壁面８に設けた取付孔９に配設される筒部６と該筒部６の屋外側に設けられる換気部とから成る換気口であって、該換気部は前記通気窓板と該通気窓板に設けられるカバー筒体４とで構成されるものである。
【００１９】
各部を更に具体的に説明すると、通気窓部１は、複数の長窓を並設したものが採用されている。また、この通気窓部１は上下方向に延設されて左右方向に複数並設されている。
【００２０】
この通気窓部１は、前記基板２を打ち抜きプレス，絞りプレス加工，打ち抜きプレス加工により皿状に形成した後、この基板２を排風制御片３付き桟板部１０を残してプレス加工により打ち抜くことで形成されている（図６の従来の方法と同様）。
【００２１】
基板２は、該基板２の全周を囲繞するカバー筒体４と連設されている。このカバー筒体４は、壁面８に設けられた取付孔９に嵌入する筒部６と連設されている。
【００２２】
筒部６は、前記略円形状の取付孔９（実際には、壁面８に穿設された取付孔９に配設されたダクト。このダクトは図示省略。）と嵌合するように略円形状のものが採用されている。また、この筒部６には、前記取付孔９と係止するための係止板７が設けられている。
【００２３】
排風制御片３は、排風制御片３付き桟板部１０を残して通気窓部１を形成した後、前記通気窓板に対して裏方向へ所定角度折曲することで形成されている。
【００２４】
この排風制御片３は、前記基板２の左側部位においては図３に図示したように右向きに前記排風制御片付き桟板部１０に対して所定角度α折曲されて排風を左方に誘導するように構成され、右側部位においても同様に左向きに所定角度αで折曲されて排風を右方に誘導するように構成されている。
【００２５】
また、この排風制御片３は、該排風制御片３の上方端部から下方端部に向かって徐々に幅狭となるように構成されている。この排風制御片３は、前記通気窓部１を形成する際、斜めに打ち抜くことで予め上方端部から下方端部に向かって徐々に幅狭となるように設定されている。
【００２６】
尚、図中符号５は虫等が換気口から室内に侵入するのを防ぐための防虫網である。
【００２７】
また、本実施例においては、排風制御片３は、前記通気窓部１を形成する際、斜めに打ち抜くことで予め上方端部から下方端部に向かって徐々に幅狭となるように構成した後、該排風制御片３を起こす（折曲する）ことで形成したが、通気窓部１を形成し該排風制御片３を折曲した後で所定の加工を施すことで形成しても良いし、排風制御片３付き桟板部１０を残さずにプレス加工により通気窓部１を形成した後で溶接等により所定の加工を施した排風制御片３を連設して形成しても良い。
【００２８】
本実施例は上述のように構成したから、排風制御片３の幅広部位において、排風の風向決定を行い、また、排風制御片３の幅狭部位においては排風抵抗が減少し、それだけ共振乃至異常音が減少する。
【００２９】
具体的には、排風が全体としては抵抗の小さい下方部位から排出されることになると共に、上方部位においては排風制御片３により設定された風向である左右方向への分流が達成され、下方部位においては基板２の正面に拡散されることになる。
【００３０】
即ち、例えば本実施例の換気口を天井近くに設けた場合であっても、上方部位においては排風が左右に分流されるから上方への排風が少なく（上方への排風は左右分流作用により少なくなる。）、よって排風が天井に当たって該天井を汚してしまうことを防止でき、更に、排風抵抗の小さい下方部位においてはよって共振を確実に防止することができ、従って、全体として異常音が減少することになる。
【００３１】
以上、本実施例は、風向決定が確実に行えることは勿論、共振乃至異常音も防ぐことができる極めて実用性に秀れた換気口用通気窓板及び換気口となる。
【００３２】
図７は、上述の実施例において、前記壁面８から突出する前記カバー筒体４の先端周縁を含む開口面Ｓを壁面８に対して傾斜する傾斜面に構成した場合の別例を図示したものであり、以下に説明する。尚、上述の実施例と同一構成部分には同一符号を付した。
【００３３】
この別例においては、壁面８から突出するカバー筒体４の前記開口面Ｓは、壁面８に対して傾斜する傾斜面に構成されているから、図７のように先端開口面Ｓを上方向が突出する傾斜面とした場合、筒部６を通って通気窓部１の排風がカバー筒体４の上側に位置する壁（即ち天井）に当接することがより確実に阻止される。
【００３４】
また、カバー筒体４の先端開口面Ｓを壁面８に対して傾斜する傾斜面に構成した場合、等幅の排風制御片３であれば前記防虫網５を配設する際、前記排風制御片３の下端部が邪魔となるが、別例においては排風制御片３が、該排風制御片３の上方端部から下方端部に向かって徐々に幅狭となるように構成されているから、前記防虫網５を配設する際、前記排風制御片３の下端部が邪魔にならずに該防虫網５を良好にすることができる。
【００３５】
その余は上述の実施例と同様である。
【図面の簡単な説明】
【図１】本実施例の説明平面図である。
【図２】本実施例の説明斜視図である。
【図３】本実施例の図２におけるＡ−Ａ断面図である。
【図４】本実施例の図１におけるＢ−Ｂ断面図である。
【図５】従来例の説明側断面図である。
【図６】従来例の説明正面図である。
【図７】別例の説明側断面図である。
【符号の説明】
１  通気窓部
２  基板
３  排風制御片
４  カバー筒体
６  筒部
８  壁面
９  取付孔
【図１】
2004211968.tif 000003
【図２】
2004211968.tif 000004
【図３】
2004211968.tif 000005
【図４】
2004211968.tif 000006
【図５】
2004211968.tif 000007
【図６】
2004211968.tif 000008
【図７】
2004211968.tif 000009